(57)【要約】【課題】  可搬型電子機器の盗難防止装置として用いられるセキュリティーロックと熱可塑性樹脂部材製の該電子機器筐体との係合部を補強する金属部材製の補強板を、該可搬型電子機器の廃棄処分時に容易に分離する手段を提供する。【解決手段】  熱可塑性樹脂製の可搬型電子機器の後ろキャビネット２の内面に取り付けられた金属部材製のロックキー挿通孔補強板１５と該後ろキャビネット２との当接面にドライバー１６のビット１６ａを挿入することにより該ロックキー挿通孔補強板１５を該後ろキャビネット２から分離時に該ビット１６ａを該後ろキャビネット２および該ロックキー挿通孔補強板１５との当接面に効率よく挿入させるために、該ロックキー挿通孔補強板１５周辺部の後ろキャビネット２内面に凹部２ｃを形成する。【選択図】  図５
2007316688.tif 000002
【特許請求の範囲】
【請求項１】
パーソナルコンピュータや液晶テレビなどの可搬型電子機器の盗難防止や移動防止を目的として、繋止用鋼線端部に取り付けられたセキュリティーロックのロックキー部分を該可搬型電子機器の樹脂製筐体に係合させるため該樹脂製筐体に穿設されたロックキー挿通孔に補強板を配設した該可搬型電子機器の盗難防止装置において、該補強板が当接する該樹脂製筐体内面の一部に凹部を設けたことを特徴とする可搬型電子機器の盗難防止装置。
【請求項２】
請求項１に記載の可搬型電子機器の盗難防止装置において、ロックキー挿通孔補強板が該樹脂製筐体の内面に設けられた凹部に跨る該ロックキー挿通孔補強板の外形の少なくとも一辺に補強曲げを形成したことを特徴とする可搬型電子機器の盗難防止装置。
【発明の詳細な説明】
【技術分野】
【０００１】
本発明は、パーソナルコンピュータや液晶テレビなどの可搬型電子機器が、展示中に店頭から持ち去られる盗難被害や、オフィスなどに設置された可搬型電子機器が所定の設置場所から無断で移設されるなどの不都合を防止するための該可搬型電子機器の盗難防止装置に関するもので、詳しくは盗難防止装置を構成する可搬型電子機器とセキュリティーロックとの係合部構造に関する。
【背景技術】
【０００２】
パーソナルコンピュータ、液晶テレビ、ビデオカメラ、その他の可搬型電子機器の小型化、軽量化の進展に伴い、該可搬型電子機器が店頭展示中に持ち去られる盗難被害が多発傾向にあるほか、オフィスなど不特定多数の関係者が出入りする場所に設置された該可搬型電子機器が管理担当者に無断で移設され、設備管理面において困難が伴う場合がある。これら問題への対応のため該可搬型電子機器を繋止するための鋼線の一端を展示台や机などの堅固な固定物に係止し、該鋼線の他端を該可搬型電子機器の筐体に係止する電子機器の盗難防止装置として、図１（ｂ）に示す「ケンジントンロック（商標名）」と称するセキュリティーロックが、事実上の国際標準（デファクトスタンダード）として広く適用され、特許文献１に見られるごとく該セキュリティ−ロックの機能拡張に関する発明もなされている。
【０００３】
図１（ｂ）は前述のセキュリティーロックの拡大斜視図である。セキュリティーロック１１には、繋止用鋼線１２の一端が固着され、該繋止用鋼線１２の他端は展示台などの堅固な固定物に係止される。図１（ｂ）に示すごとく、セキュリティーロック１１先端のロックキー１１aの回転軸に直交する面は長方形をなし、図１（ａ）に示す可搬型電子機器の一例としての液晶テレビ１の後ろキャビネット２に穿設された長方形のロックキー挿通孔５に該セキュリティーロック１１の該ロックキー１１ａおよびロックキーベース１１ｂが挿通される。
【０００４】
該ロックキー１１aおよび該ロックキーベース１１ｂを、後ろキャビネット２のロックキー挿通孔５に挿通した状態で図１（ｂ）に示す鍵１３をセキュリティーロック１１の鍵穴１１ｃに挿入し、セキュリティーロック１１の軸回りに沿って回転させることにより、ロックキー１１aは図１（ｂ）中に点線で示すごとく鎖線矢印に沿って９０度回転しロックキーベース１１ｂと直交状態となり、セキュリティーロック１１は液晶テレビ１の後ろキャビネット２に穿設されたロックキー挿通孔２ａに係合される。
【０００５】
しかしながら、セキュリティーロック１１および繋止用鋼線１２により堅固な固定物に繋止されている液晶テレビ１が持ち去りなどの意図により強く引っ張られた場合、熱可塑性樹脂部材製の液晶テレビ１の後ろキャビネット２のロックキー挿通孔５に過度の機械的ストレスが加えられ、該ロックキー挿通孔５が破壊され、後ろキャビネット２のロックキー挿通孔５からセキュリティーロック１１先端のロックキー１１ａが離脱し、該液晶テレビ１の盗難防止目的を果たすことが不可能となる。
【０００６】
前記問題への対応のため、従来例として図７に示すごとく液晶テレビの後ろキャビネット２２に穿設されたロックキー挿通孔２２ａにはロックキー挿通孔補強板１５が取り付けられ補強されている。ロックキー挿通孔補強板１５の略中央には、図１（ｂ）に示すセキュリティーロック１１先端のロックキー１１ａが、挿通するための長方形のロックキー挿通孔１５ａが穿設されている。さらに該ロックキー挿通孔１５ａの両側には複数の溶着用孔１５ｂが穿設されている。後ろキャビネット２２と一体に成型された複数の補強板溶着用スタッド２２ｂをロックキー挿通孔補強板１５に穿設された複数の溶着用孔１５ｂに挿嵌し、該ロックキー挿通孔補強板１５の溶着用孔１５ｂからの該補強板溶着用スタッド２２ｂの突出部を熱可塑性樹脂部材の軟化温度を超える温度に加熱した熱鏝により押圧することにより補強板溶着用スタッド２２ｂの突出部先端部が傘状に押し広げられ、ロックキー挿通孔補強板１５は後ろキャビネット２２に固定される。
【特許文献１】特開２０００−１３７５４２号公報
【発明の開示】
【発明が解決しようとする課題】
【０００７】
可搬型電子機器の盗難防止装置として用いられるセキュリティーロックが、熱可塑性樹脂部材製の該可搬型電子機器筐体に係合するロックキー挿通孔を補強する金属製のロックキー挿通孔補強板を、用済み後の該可搬型電子機器の廃棄処分時に容易に分離し資源再利用のための資源分別を可能とする手段を提供する。
【課題を解決するための手段】
【０００８】
パーソナルコンピュータや液晶テレビなどの可搬型電子機器の盗難防止や移動防止のための繋止用鋼線端部に取り付けられたセキュリティーロックのロックキー部分を該可搬型電子機器の樹脂製筐体に配設された該セキュリティーロックのロックキー挿通孔を補強するロックキー挿通孔補強板を具備する該可搬型電子機器の盗難防止装置において、該ロックキー挿通孔補強板が当接する樹脂製筐体内面の一部に凹部を設け、該凹部にドライバーのビットなどの楔形冶具を挿入することにより、該可搬型電子機器の用済み後の廃棄時において該樹脂製筐体から金属製のロックキー挿通孔補強板を容易に分離させ資材分別作業を効率化する。
【０００９】
前記可搬型電子機器の盗難防止装置において、該可搬型電子機器の用済み後の廃棄に伴う分解作業および資源分別作業時に、ドライバーのビットなどの楔形冶具をロックキー挿通孔補強板が当接する樹脂製筐体内面の一部に形成した凹部に挿入し樹脂製筐体から金属製のロックキー挿通孔補強板を分離させる際に、該ロックキー挿通孔補強板が変形し分解作業が困難になることを防止するため該ロックキー挿通孔補強板の少なくとも一辺に補強曲げを形成する。
【発明の効果】
【００１０】
ロックキー挿通孔補強板が当接する樹脂製筐体内面の一部に凹部を形成することにより、該樹脂製筐体と金属製の該ロックキー挿通孔補強板が当接する面の間隙にドライバーのビットなどの楔形冶具を挿入し、該樹脂製筐体から金属製の該ロックキー挿通孔補強板を容易に分離することが可能となり該可搬型電子機器の用済み後の分解作業および資源分別作業の効率化を図り、資源の再利用を促進する。
【００１１】
ロックキー挿通孔補強板の少なくとも一辺に補強曲げを形成することにより、可搬型電子機器の用済み後の分解作業時に金属製の該ロックキー挿通孔補強板を樹脂製筐体から分離する作業において該ロックキー挿通孔補強板の剛性を向上させ変形を防止することにより、該樹脂製筐体からの該ロックキー挿通孔補強板分離作業の効率化を図ることが可能となる。
【発明を実施するための最良の形態】
【００１２】
図１（ａ）は本発明の第１の実施形態を示す可搬型電子機器の一例としての液晶テレビの背面斜視図である。図１（ａ）中の２は後ろキャビネット、３はキャリングハンドル、４は液晶テレビを卓上型として使用する場合のスタンドである。後ろキャビネット２の背面には長方形のロックキー挿通孔５が穿設され、該ロックキー挿通孔５には図１（ｂ）に示すセキュリティーロック１１のロックキー１１ａ、およびロックキーベース１１ｂが係合される。
【００１３】
図１（ｂ）はセキュリティーロック１１の拡大斜視図である。セキュリティーロック１１には繋止用鋼線１２の一端が固着され、該繋止用鋼線１２の他端は展示台などの堅固な固定物に係止される。図１（ｂ）に示すごとく、セキュリティーロック１１先端のロックキー１１aの回転軸に直交する面は長方形をなし、図１（ａ）に示す可搬型電子機器の一例としての液晶テレビ１の後ろキャビネット２に穿設された長方形のロックキー挿通孔５に該セキュリティーロック１１の該ロックキー１１ａとロックキーベース１１ｂを挿通させる。
【００１４】
セキュリティーロック１１および繋止用鋼線１２により堅固な固定物に係止されている液晶テレビ１が持ち去りなどの意図により強く引っ張られた場合、熱可塑性樹脂部材製の液晶テレビ１の後ろキャビネット２のロックキー挿通孔５には、過度の機械的ストレスが加えられ該ロックキー挿通孔５が破壊し、後ろキャビネット２のロックキー挿通孔５からセキュリティーロック１１先端のロックキー１１ａが離脱し、該液晶テレビ１の盗難防止目的を果たすことが不可能となる。
【００１５】
前記問題に対応するため、図２に示すごとく、液晶テレビ１の後ろキャビネット２に穿設されたロックキー挿通孔５の該後ろキャビネット２の内面側に金属部材製のロックキー挿通孔補強板１５を配設することにより樹脂部材製の後ろキャビネット２に穿設されたロックキー挿通孔５の破壊強度を向上させている。該ロックキー挿通孔補強板１５の複数の溶着用孔１５ｂに後ろキャビネット２と一体に成型された複数の補強板溶着用スタッド２ｂを挿嵌し、該ロックキー挿通孔補強板１５の溶着用孔１５ｂからの該補強板溶着用スタッド２ｂの突出部を、熱可塑性樹脂の軟化温度を超える温度に加熱した熱鏝により押圧することにより該補強板溶着用スタッド２ｂの突出部の先端部分を傘状に押し広げ、ロックキー挿通孔補強板１５を後ろキャビネット２に固定している。
【００１６】
図３はロックキー挿通孔補強板１５を後ろキャビネット２に取り付けない状態における液晶テレビの後ろキャビネット２に穿設されたロックキー挿通孔２ａ近傍の斜視図である。後ろキャビネット２に穿設されたロックキー挿通孔２ａ上方の該後ろキャビネット２の内面に凹部２ｃが形成されている。該ロックキー挿通孔補強板１５が該後ろキャビネット２に取り付けられた状態では、該凹部２ｃの一部は図４（ａ）に示すごとく該ロックキー挿通孔補強板１５の外側に露出しているが、該凹部２ｃの下部は該ロックキー挿通孔補強板１５により覆われている。図４（ｂ）は図４（ａ）中に鎖線Ａ−Ａで示す切断線に沿って切断した縦断面図である。
【００１７】
図５（ａ）は後ろキャビネット２の内面を示す斜視図、図５（ｂ）は図５（ａ）中に鎖線Ｂ−Ｂで示す切断線に沿って切断した縦断面図である。液晶テレビが用済み後に廃棄され、資源再利用目的により構成部材別に分別するために樹脂部材製の後ろキャビネット２から金属部材製のロックキー補強板１５を分離させるためにドライバー１６のビット１６ａを後ろキャビネット２とロックキー補強板１５との当接面の該後ろキャビネット２の内面に形成した凹部２ｃに該ビット１６ａを挿入することにより後ろキャビネット２と一体に形成された補強板溶着用スタッド２ｂを破壊し、該後ろキャビネット２からロックキー補強板１５を分離させることが出来る。
【００１８】
しかしながら、前記ロックキー補強板１５の剛性が不十分な場合には図５に示すごとく凹部２ｃにドライバー１６のビット１６ａを挿入した場合、該ロックキー補強板１５が変形し、後ろキャビネット２と一体に形成された補強板溶着用スタッド２ｂが破壊されず、後ろキャネット２から該ロックキー補強板１５を分離させることが不可能となる場合がある。このため本発明の第２の実施形態として図６に示すごとく、該ロックキー挿通孔補強板２５と後ろキャビネットの内面間に形成された凹部を跨ぐ該ロックキー挿通孔補強板２５の少なくとも一辺に図６に示すごとく補強曲げ２５ｃを形成することにより該補強曲げ２５ｃはロックキー補強板２５の剛性を向上させ、後ろキャビネットからロックキー補強板２５を分離する作業を確実に行うことが出来る。
【図面の簡単な説明】
【００１９】
【図１】図１は本発明に係わる液晶テレビの背面斜視図、図１（ｂ）は電子機器と繋止用鋼線を係止するセキュリティーロックの外観斜視図である。
【図２】図２（ａ）は図１に示す液晶テレビの後ろキャビネット内面の斜視図、図２（ｂ）は後ろキャビネットに形成されたセキュリティーロック係合部分の拡大斜視図である。
【図３】ロックキー挿通孔補強板を取り付けない状態における液晶テレビの後ろキャビネットに穿設されたロックキー挿通孔近傍の斜視図である。
【図４】図４（ａ）は後ろキャビネット内面のロックキー挿通孔にロックキー挿通孔補強板を取り付けた状態を示す斜視図、図４（ｂ）は図４（ａ）中の切断線Ａ−Ａに沿って切断した縦断面図である。
【図５】図５（ａ）は後ろキャビネット内面とロックキー挿通孔補強板の当接面に形成された凹部にドライバーのビットを挿入する状態を示す斜視図、図５（ｂ）は図５（ａ）中に示す切断線Ｂ−Ｂに沿った縦断面図である。
【図６】補強曲げを形成したロックキー挿通孔補強板の斜視図である。
【図７】後ろキャビネット内面のロックキー挿通孔部分の従来例を示す斜視図である。
【符号の説明】
【００２０】
１：  液晶テレビ
２：  後ろキャビネット
２ａ：  ロックキー挿通孔
２ｂ：  補強板溶着用スタッド
２ｃ：  凹部
３：  キャリングハンドル
４：  スタンド
５：  ロックキー挿通孔
１１：  セキュリティーロック
１１ａ：  ロックキー
１１ｂ：  ロックキーベース
１１ｃ：  鍵孔
１２：  繋止用鋼線
１３：  鍵
１５：  ロックキー挿通孔補強板
１５ａ：  ロックキー挿通孔
１５ｂ：  溶着用孔
１６：  ドライバー
１６ａ：  ビット
２２：  後ろキャビネット
２２ａ：  ロックキー係止孔
２２ｂ：  補強板溶着用スタッド
２５：  ロックキー挿通孔補強板
２５ａ：  ロックキー挿通孔
２５ｂ：  溶着用孔
２５ｃ：  補強曲げ部
【図１】
2007316688.tif 000003
【図２】
2007316688.tif 000004
【図３】
2007316688.tif 000005
【図４】
2007316688.tif 000006
【図５】
2007316688.tif 000007
【図６】
2007316688.tif 000008
【図７】
2007316688.tif 000009